(57)【特許請求の範囲】
【請求項１】
マイクロホンケーブルの巻き上げ及び繰り出しを行なう巻き取りドラムを有する巻き上げ機構を備え、前記マイクロホンケーブルを巻き上げ及び繰り出してマイクロホンを任意の位置に移動させる電動式吊りマイクロホン装置において、前記巻き上げ機構は、電動機と、この電動機によって回転し、前記マイクロホンケーブルを巻き上げ及び繰り出す巻き取りドラムと、この巻き取りドラムの巻き取り胴の巻き始め側及び巻き終わり側にそれぞれ設けられ、前記マイクロホンケーブルが過剰繰り出し及び過剰巻き取りされたとき、前記マイクロホンケーブルによってＯＦＦされ、前記電動機を停止するスイッチとを具備し、前記巻き取りドラムの巻き取り胴にはマイクロホンケーブルを巻き取り案内する螺旋状溝を設け、この螺旋状溝の底部に前記スイッチを設けたことを特徴とする電動式吊りマイクロホン装置。
【請求項２】
前記２個のスイッチは、電源及び電動機とともに直列に接続され、少なくとも一方がＯＦＦのとき、前記電動機を停止させるマイクロスイッチであることを特徴とする請求項１記載の電動式吊りマイクロホン装置。
【発明の詳細な説明】
【０００１】
【発明の属する技術分野】
この発明は、劇場やスタジオ等に設置される電動式吊りマイクロホン装置に関する。
【０００２】
【従来の技術】
劇場やスタジオ等においては、マイクロホンケーブルの巻き上げ及び繰り出しを行なう巻き取りドラムを有する巻き上げ機構を備え、マイクロホンケーブルを巻き上げ及び繰り出してマイクロホンを任意の位置に移動させる電動式吊りマイクロホン装置が設置されている。
【０００３】
電動吊りマイクロホン装置には、一点吊り、二点吊り、三点吊りなどがあり、三点吊りの転動式吊りマイクロホン装置においては、天井裏に３台の巻き上げ機構としての電動ウインチが設置され、３台の電動ウインチから滑車機構を介してマイクロホンケーブルが天井下方に吊られている。天井下方に吊られたマイクロホンケーブルはマイク吊り金具に連結され、このマイク吊り金具には１個もしくは複数個のマイクロホンが取り付けられている。
【０００４】
この電動式吊りマイクロホン装置は、観客席の上部天井に設置されるため、各種の安全装置が義務付けられている。例えば、「懸垂物安全指針」においては、「過巻き防止」、「過走防止」機構を設けなければならないことになっている。「過巻き」とは本明細書で言うマイクロホンケーブルの過剰巻き取りのことであり、「過走」とはマイクロホンケーブルの過剰繰り出しのことである。
【０００５】
このような安全装置の義務は、次のような理由によるものである。
【０００６】
（１）過剰繰り出しが発生した場合、マイクロホンケーブルのクランプ個所で同ケーブルのクランプ方向と逆向きにケーブルが折れてケーブルの強度を損ねる。
【０００７】
（２）過剰繰り出しが発生した場合、巻き取りドラムのフランジにマイクロホンケーブルが当たり、擦れて同ケーブルの強度を損ねる。
【０００８】
（３）過剰巻き取り、過剰繰り出しすると、巻き取りドラムからマイクロホンケーブルが脱落し、大きな衝撃が懸垂機構全体及び躯体に加わる。
【０００９】
そこで、従来においては、電動式吊りマイクロホン装置においては、マイクロホンケーブルの過剰巻き取り、過剰繰り出しを防止するために、巻き取りドラムのドラムシャフトの回転をギヤで減速してカムを回転させ、このカムによりマイクロスイッチを蹴ってマイクロスイッチをＯＦＦさせることにより電動機を停止するようにしていた。
【００１０】
【発明が解決しようとする課題】
しかしながら、前述した従来の安全装置は、ギヤのバックラッシュが多いこととカムによるマイクロスイッチの動作位置の再現性が悪いことなどにより、期待する精度を得ることが困難であった。また、過剰巻き取り、過剰繰り出しの調整をカムの取付け位置と取付け角度で設定しているので、調整に多くの時間を費やすという問題があった。
【００１１】
この発明は、前記事情に着目してなされたもので、その目的とするところは、マイクロホンケーブルの過剰巻き取り、過剰繰り出しを確実に防止でき、信頼性を向上させるとともに、調整作業が不要な電動式吊りマイクロホン装置を提供することにある。
【００１２】
【課題を解決するための手段】
この発明は、前記目的を達成するために、請求項１は、マイクロホンケーブルの巻き上げ及び繰り出しを行なう巻き取りドラムを有する巻き上げ機構を備え、前記マイクロホンケーブルを巻き上げ及び繰り出してマイクロホンを任意の位置に移動させる電動式吊りマイクロホン装置において、前記巻き上げ機構は、電動機と、この電動機によって回転し、前記マイクロホンケーブルを巻き上げ及び繰り出す巻き取りドラムと、この巻き取りドラムの巻き取り胴の巻き始め側及び巻き終わり側にそれぞれ設けられ、前記マイクロホンケーブルが過剰繰り出し及び過剰巻き取りされたとき、前記マイクロホンケーブルによってＯＦＦされ、前記電動機を停止するスイッチとを具備し、前記巻き取りドラムの巻き取り胴にはマイクロホンケーブルを巻き取り案内する螺旋状溝を設け、この螺旋状溝の底部に前記スイッチを設けたことを特徴とする。
【００１４】
請求項２は、請求項１の前記２個のスイッチは、電源及び電動機とともに直列に接続され、少なくとも一方がＯＦＦのとき、前記電動機を停止させるマイクロスイッチであることを特徴とする。
【００１５】
前記構成によれば、マイクロホンケーブルの繰り出し途中で制御回路等の故障等によって電動機の制御が不能になり、マイクロホンケーブルが過剰に繰り出されると、マイクロホンケーブルによってスイッチがＯＦＦとなり、電動機が停止する。また、マイクロホンケーブルの巻き取り途中で、制御回路等の故障等によって電動機の制御が不能になり、マイクロホンケーブルが過剰に巻き取られると、そのマイクロホンケーブルによってスイッチがＯＦＦとなり、電動機が停止する。
【００１６】
従って、過剰繰り出しが発生した場合のマイクロホンケーブルのクランプ個所での折れ、巻き取りドラムのフランジにマイクロホンケーブルが当たり、擦れて同ケーブルの強度を損ねること、及び過剰巻き取り、過剰繰り出ししたとき、巻き取りドラムからマイクロホンケーブルが脱落し、大きな衝撃が懸垂機構全体及び躯体に加わるを未然に防止できる。
【００１７】
【発明の実施の形態】
以下、この発明の実施の形態を図面に基づいて説明する。
【００１８】
図１（ａ）は電動式吊りマイクロホン装置の設置状態を示し、同図（ｂ）はマイクロホンケーブルの断面を示す。図１（ａ）に示す電動式吊りマイクロホン装置２０は巻き上げ機構としての電動ウインチ２１を有しており、これらは天井裏の床面に適宜間隔で三点に設けられている。電動ウインチ２１にはマイクロホンケーブル２２が巻回されるが、同図（ｂ）に示すように、このマイクロホンケーブル２２は中心部に細径でかつ材質を例えばＳＵＳとするテンションワイヤ２３を有しており、このテンションワイヤ２３を取り囲むように本実施形態では４本のマイクロホン接続ケーブル２４が設けられている。
【００１９】
そして、これらマイクロホン接続ケーブル２４及びテンションワイヤ２３がシース２５で覆われることにより、例えば直径を１０ｍｍとするマイクロホンケーブル２２を構成している。マイクロホンケーブル２２は、例えば８０ｋｇのように所定の荷重に耐えられる強度を有している。
【００２０】
３本のマイクロホンケーブル２２はそれぞれ天井裏に設けられた滑車機構２６を介して天井を貫通し、天井下方に吊られており、これらマイクロホンケーブル２２の端部はマイク吊り金具２７に接続されている。マイク吊り金具２７にはマイクロホン２８が取り付けられている。
【００２１】
マイクロホン２８を移動させるためには巻き上げ機構としての電動ウインチ２１を駆動させ、３本のマイクロホンケーブル２２を巻き取りまたは繰り出す必要があるが、この電動ウインチ２１は、図２及び図３に示すように構成されている。
【００２２】
すなわち、基台２９には電動機取付け台３０が設けられ、この電動機取付け台３０には電動機３１が取り付けられている。電動機３１の回転軸３２には駆動スプロケット３３が設けられている。基台２９には回転軸３２と平行に従動軸３４が軸受（図示しない）によって回転自在に支持され、この従動軸３４には従動スプロケット３５が設けられている。そして、駆動スプロケット３３と従動スプロケット３５との間にはチェーン３６が掛け渡され、駆動スプロケット３３の回転が従動スプロケット３５に伝達されるようになっている。
【００２３】
従動軸３４にはウォームギヤ３７が設けられ、このウォームギヤ３７にはウォームホイール３８が噛合されている。このウォームホイール３８は巻き取りドラム３９の回転軸４０とカップリング４１を介して連結されている。従って、電動機３１によって巻き取りドラム３９が正逆回転するようになっている。
【００２４】
巻き取りドラム３９は、図４及び図5に示すように構成されている。すなわち、巻き取り胴４２の両端にはフランジ４３が設けられているとともに、巻き取り胴４２の外周面にはその一端から他端に向かって連続的に螺旋状溝４４が設けられている。螺旋状溝４４は、その断面がマイクロホンケーブル２２の外径よりやや大きい曲率半径の半円形状であり、巻き取られるマイクロホンケーブル２２が螺旋状溝４４に収納され、巻回されたマイクロホンケーブル２２が巻き取り胴４２の軸方向に位置ずれしないようになっている。
【００２５】
巻き取り胴４２の一端側における螺旋状溝４４の巻き始め側４５の２巻目は過剰繰り出し防止溝４５ａとし、他端側における螺旋状溝４４の巻き終わり側４６の２巻目は過剰巻き取り防止溝４６ａとし、中間の螺旋状溝４４がマイクロホン位置設定有効溝４７に形成されている。すなわち、マイクロホン位置設定有効溝４７に巻回されたマイクロホンケーブル２２の長さの範囲で巻き取り及び繰り出しを行ない、マイクロホン２８を移動させるようになっている。
【００２６】
さらに、過剰繰り出し防止溝４５ａにおけるマイクロホン位置設定有効溝４７との境界部の一部にはスイッチとしての第1のマイクロスイッチ４８が設けられている。また、過剰巻き取り防止溝４６ａにおけるマイクロホン位置設定有効溝４７との境界部の一部にはスイッチとしての第２のマイクロスイッチ４９が設けられている。
【００２７】
第１及び第２のマイクロスイッチ４８，４９は巻回されるマイクロホンケーブル２２によって操作されるもので、第１のマイクロスイッチ４８は過剰繰り出し防止溝４５ａに巻回されているマイクロホンケーブル２２によって押されてＯＮになっているが、マイクロホンケーブル２２が繰り出されて過剰繰り出し防止溝４５ａから離れると、ＯＦＦとなる。また、第２のマイクロスイッチ４８は通常はＯＮ状態にあるが、過剰巻き取り防止溝４６ａにマイクロホンケーブル２２が巻回されると、そのマイクロホンケーブル２２によって押されてＯＦＦとなる。
【００２８】
マイクロホンケーブル２２は過剰繰り出し防止溝４５ａから巻き始まり、マイクロホン位置設定有効溝４７の終端、つまり過剰巻き取り防止溝４６ａとの境界部で巻き終わり、マイクロホン位置設定有効溝４７に巻回されたマイクロホンケーブル２２の長さの範囲で巻き取り及び繰り出しを行なっているため、第１と第２のマイクロスイッチ４８，４９はＯＮ状態にある。
【００２９】
しかし、制御回路等の故障等によって電動機３１の制御が不能になり、マイクロホンケーブル２２が過剰に繰り出されると、マイクロホンケーブル２２が繰り出されて過剰繰り出し防止溝４５ａから離れ第１のマイクロスイッチ４８がＯＦＦとなる。また、マイクロホンケーブル２２が過剰に巻き取られて過剰巻き取り防止溝４６ａまでマイクロホンケーブル２２が巻回されると、そのマイクロホンケーブル２２によって第２のマイクロスイッチ４９が押されてＯＦＦとなる。
【００３０】
また、図６に示すように、第１及び第２のマイクロスイッチ４８，４９は電源５０、電動機３１及びメインスイッチ５１とともに直列に接続されていて、第１及び第２のマイクロスイッチ４８，４９の少なくとも一方がＯＦＦになると、電動機３１が停止するようになっている。
【００３１】
次に、前述のように構成された電動式吊りマイクロホン装置の作用について説明する。マイクロホン２８を所望の位置で使用する際には、マイクロホンケーブル２２を巻き取り、繰り出しを行なってマイクロホン２８の高さ及び位置を設定する。
【００３２】
この場合、天井裏に設置された３台の電動ウインチ２１を同時または選択的に駆動し、各電動ウインチ２１の巻き取りドラム３９を正転または逆転する。具体的には、電動機３１の回転は駆動スプロケット３３からチェーン３６を介して従動スプロケット３５に伝達されて従動軸３４が回転する。従動軸３４の回転はウォームギヤ３７、ウォームホイール３８を介して回転軸４０に伝達され、巻き取りドラム３９が回転する。
【００３３】
巻き取りドラム３９の螺旋状溝４４には予めマイクロホンケーブル２２が巻回されている。すなわち、マイクロホンケーブル２２は過剰繰り出し防止溝４５ａから巻き始まり、マイクロホン位置設定有効溝４７の終端、つまり過剰巻き取り防止溝４６ａとの境界部で巻き終わっており、通常は、巻き取りドラム３９が正転及び逆転してマイクロホン位置設定有効溝４７に巻回されたマイクロホンケーブル２２の長さの範囲で巻き取り及び繰り出しを行なう。従って、第１と第２のマイクロスイッチ４８，４９はＯＮ状態にある。
【００３４】
しかし、マイクロホンケーブル22の繰り出し途中で、制御回路等の故障等によって電動機３１の制御が不能になり、巻き取りドラム３９が回転をし続けると、マイクロホンケーブル２２が繰り出しを続け、マイクロホン位置設定有効溝４７に巻回されているマイクロホンケーブル２２が全て繰り出され、過剰繰り出し防止溝４５ａに巻回されているマイクロホンケーブル２２まで繰り出されると、マイクロホンケーブル２２が第１のマイクロスイッチ４８から離れてＯＦＦとなり、電動機３１が停止する。従って、マイクロホンケーブル２２の過剰繰り出しを防止することができる。
【００３５】
また、マイクロホンケーブル２２の巻き取り途中で、制御回路等の故障等によって電動機３１の制御が不能になり、巻き取りドラム３９が回転をし続けると、マイクロホンケーブル２２の巻き取りを続け、マイクロホン位置設定有効溝４７を通り過ぎ、過剰巻き取り防止溝４６ａまで巻き取ると、マイクロホンケーブル２２が第２のマイクロスイッチ４９を押してＯＦＦとなり、電動機３１が停止する。従って、マイクロホンケーブル２２の過剰巻き取りを防止することができる。
【００３６】
このように、マイクロホンケーブル２２の繰り出し途中及び巻き取り途中で何らかの原因で、電動機３１の制御が不能になったとき、第１及び第２のマイクロスイッチ４８，４９がＯＦＦとなって電動機３１を強制的に停止することができる。従って、過剰繰り出しが発生した場合のマイクロホンケーブルのクランプ個所での折れ、巻き取りドラムのフランジにマイクロホンケーブルが当たり、擦れて同ケーブルの強度を損ねること、及び過剰巻き取り、過剰繰り出ししたとき、巻き取りドラムからマイクロホンケーブルが脱落し、大きな衝撃が懸垂機構全体及び躯体に加わるを未然に防止できる。
【００３７】
なお、前記実施形態においては、スイッチとしてマイクロスイッチを用いたが、マイクロホンケーブルによって操作されるものであれば、感圧スイッチ等を巻き取りドラムの螺旋状溝に設けてもよい。
【００３８】
【発明の効果】
以上説明したように、この発明は、マイクロホンケーブルを巻き上げ及び繰り出す巻き取りドラムの巻き取り胴の巻き始め側及び巻き終わり側に、マイクロホンケーブルが過剰繰り出し及び過剰巻き取りされたとき、マイクロホンケーブルによってＯＦＦされ、電動機を停止するスイッチを設けたことを特徴とする。
【００３９】
従って、制御回路等の故障等によって電動機の制御が不能になり、マイクロホンケーブルが過剰に繰り出されると、マイクロホンケーブルによってスイッチがＯＦＦとなって電動機が停止し、また、マイクロホンケーブルの巻き取り途中で、制御回路等の故障等によって電動機の制御が不能になり、マイクロホンケーブルが過剰に巻き取られると、そのマイクロホンケーブルによってスイッチがＯＦＦとなって電動機が停止する。このため、過剰繰り出しが発生した場合のマイクロホンケーブルのクランプ個所での折れ、巻き取りドラムのフランジにマイクロホンケーブルが当たり、擦れて同ケーブルの強度を損ねること、及び過剰巻き取り、過剰繰り出ししたとき、巻き取りドラムからマイクロホンケーブルが脱落し、大きな衝撃が懸垂機構全体及び躯体に加わるを未然に防止できる。
【図面の簡単な説明】
【図１】この発明の第１の実施形態を示し、（ａ）は電動式吊りマイクロホン装置の設置状態を示す斜視図、（ｂ）はマイクロホンケーブルの断面図。
【図２】同実施形態の電動ウインチの平面図。
【図３】同実施形態の電動ウインチの側面図。
【図４】同実施形態の巻き取りドラムの側面図。
【図５】同実施形態を示し、図4のＡ部を拡大した断面図。
【図６】同実施形態の電気回路図。
【符号の説明】
２２…マイクロホンケーブル
３１…電動機
３９…巻き取りドラム
４４…螺旋状溝
４５…巻き始め側
４６…巻き終わり側
４８…第１のマイクロスイッチ
４９…第２のマイクロスイッチ
【図１】
0004185238.tif 000002
【図２】
0004185238.tif 000003
【図３】
0004185238.tif 000004
【図４】
0004185238.tif 000005
【図５】
0004185238.tif 000006
【図６】
0004185238.tif 000007